【事件の表示】
　特願２００２−　８５５６６「ディスク制御装置及びディスク制御方法」拒絶査定不服審判事件〔平成１５年１０月　３日出願公開、特開２００３−２８１８６０〕について、次のとおり審決する。
【結　論】
　本件審判の請求は、成り立たない。
【理　由】
１．手続の経緯・本願発明
 　本願は、平成１４年３月２６日の出願であって、平成１７年１０月１３日付け拒絶理由通知に対して、平成１７年１２月１６日付けで手続補正がなされたが、平成１８年１月１７日付けで拒絶の査定がなされ、これに対し、平成１８年２月２１日付けで拒絶査定不服審判が請求されたものである。そして、本願の請求項１乃至６に係る発明は、平成１７年１２月１６日付け手続補正書によって補正された明細書の特許請求の範囲の請求項１乃至６に記載された事項により特定されるものと認められるところ、その請求項３に係る発明は次のとおりのものである。　
「　【請求項３】　複数のディスクを装填され、各装填ディスクを再生自在にしているディスク制御装置において、
　所定のディスク用データベースへアクセスして装填中のディスクについてそのディスク関連情報を前記ディスク用データベースから入手する入手手段、　
　前記ディスク用データベースからのディスク関連情報を入手できた装填中ディスクについてそのディスク関連情報を、また、入手できなかった装填中ディスクについて未入手であることをそれぞれ表示器に表示する表示制御手段、　
　前記入手手段によるディスク関連情報の入手が失敗した場合にその失敗が前記ディスク用データベースにおけるディスク関連情報の蓄積無しの原因（以下、「第１の原因」と言う。）にあるか第１の原因以外の他の原因（以下、「第２の原因」と言う。）にあるかを検出する原因検出手段、　
　装填中ディスクについて前記入手手段によるディスク関連情報の入手が失敗した場合にその失敗が第２の原因にあるときのみ該装填中ディスクについて前記入手手段にディスク関連情報の入手を自動的に再実行させる再実行制御手段、　
を有していることを特徴とするディスク制御装置。（以下「本願発明」という。）」　
　
２．刊行物及びその記載　
　原査定の拒絶の理由に引用された刊行物である特開２００１−２９７０８８号公報（以下「刊行物」という。）には、記録媒体再生装置について、図面とともに以下の記載がある。（なお、下線は当審で付与した。）　
　
（１）「【０００５】　
【発明の実施の形態】
図１は本発明の一つの実施の形態に係る記録媒体再生システムの構成を示すブロック図である。１は数十〜数百枚という多数枚のＣＤを収納可能なＣＤチェンジャプレーヤ、２０はパソコン構成の管理装置であり、ＣＤチェンジャプレーヤ１とは通信線３５で接続されている。
【０００６】
ＣＤチェンジャプレーヤ１の内、２はディスク収納場所を示す１〜Ｎまでのディスクナンバ（ＤＮＯ）別に、Ｎ枚のＣＤ３
1
 〜ＣＤ
N
 を収納する収納部、４はＣＤ３
i
 （ｉ＝１〜Ｎ）のリードイン領域に記録された管理情報を読み取ったり、プログラム領域に記録されたプレゼンテーション情報を再生したりするＣＤ再生部、５は収納部２から所望のＣＤ３
n 
を取り出してＣＤ再生部４にセットしたり、ＣＤ再生部４にセットされたＣＤ３
n
 を収納部２の元の収納場所に戻したりする交換部、
　
（２）「【００１２】
管理装置２０は記録媒体案内情報表示管理ソフトが立ち上がると、ディスクナンバ入力待ち画面（図１４（１）参照）をディスプレイ２６に表示し、キーボード２７またはマウス２８の操作で再生対象のディスクナンバｎが入力されると、該ディスクナンバｎをディスプレイ２６に表示させ、ＣＤチェンジャプレーヤ１へディスクナンバｎの再生指令を出力し、ＣＤ３
i
 の再生を行わせる。
その後、ＣＤ３
n 
のリードイン領域から管理情報が読み取られると、ＣＤチェンジャプレーヤ１から入力してリードイン管理情報記憶領域３１に記憶する。そして、ユーザにディスク案内情報データベース５０
j 
に対する検索を行うか否か問い合わせ
【００１３】
若し、ユーザがディスク案内情報データベース５０
j
 に対する検索を希望するとき、管理情報中のＴＯＣ情報に所定の演算を施し、検索キーデータを作成する。
【００１４】
若し、ディスク案内情報蓄積領域２９の中に今回作成した検索キーデータと一致するものがなければ、インターネット４０と接続後、インターネット４０の経由でディスク案内情報データベースサーバ５０
j
 と接続し、該サーバ５０
j 
に検索キーデータを転送して検索要求を行う。
そして、ユーザがキーボード２７またはマウス２８の操作で選択した１つの番号を確定候補情報としてディスク案内情報データベースサーバ５０
j
に送信する。候補が１番の１つだけであれば、管理装置２０は１番を確定候補情報としてディスク案内情報データベースサーバ５０
j
 に送信する。ディスク案内情報データベースサーバ５０
j 
は確定候補情報が受信されると、該当するディスク案内情報を返信し、該ディスク案内情報を受信した管理装置２０は内部メモリ２３に記憶したのちインターネット４０の接続を切り、ディスプレイ２６にディスクナンバｎと対応付けて受信したディスク案内情報を表示させるとともに（図１６（２）参照）、ハードディスク２２のディスク案内情報蓄積領域２９に今回受信した検索キーデータをディスク案内情報と対にして追加記憶させる（図１１（２）、（３）参照）。
　
（３）「【００３３】（７）ディスク案内情報データベースサーバとの接続
そ
して、ＵＲＬ蓄積領域３０の２番目以降の中で、一番最新に入手したアドレスを用いてＣＤ案内情報データベースサーバ５０
j
 への接続を試みる。１回目はＵＲＬ蓄積領域３０のＭ番目に記憶されているａｄｄ
c
 を用いて接続する（図８のステップＳ１３０、Ｓ１３１）。そして、一定時間内に正常に接続出来たかチェックする
【００３４】
ａｄｄ
a
 ＝ＡＤＤ
2 
であったが、ディスク案内情報データベースサーバ５０
2
もたまたまダウンしていてエラーメッセージが来たとき、
「Ｗｅｂ検索に失敗しました」というエラー表示ウインドウ画面を再生対象案内画面の上に重ねて一定時間表示し、ＣＤチェンジャプレーヤ１へ検索不能通知を出力したあと
【００３５】
これと異なり、ａｄｄ
a
 ＝ＡＤＤ
2
 であり、ディスク案内情報データベースサーバ５０
2 
が正常稼働中で正常接続メッセージが来たとき、先に作成した検索キーデータをディスク案内情報データベースサーバ５０
2
 に送信して検索要求を行い（ステップＳ１３７）、一定時間内に検索エラーメッセージまたは検索キーデータに対応するディスク案内情報候補のリスト情報が受信されるのを待つ
【００３６】
ディスク案内情報データベースサーバ５０
2
 の側で検索キーデータを用いてディスク案内情報データベース５１
2 
に対し対応するディスク案内情報を検索しようとしたが検索エラーが生じたとき（ここでは候補が無かった場合を含む）、検索エラーメッセージを返信する。管理装置２０はステップＳ１３８、Ｓ１３９のあとステップＳ１３３に進み、ＵＲＬ蓄積領域３０には未接続の他のアドレスがないので、ステップＳ１３５に進む。
　
（４）図８には、データベースサーバに接続後、検索エラーが生じた場合に「Ｗｅｂ検索に失敗しました」というエラー表示画面を表示することが記載されている。　
　
　上記摘示事項を、図面とともに総合整理すると、刊行物１には以下の発明が記載されているものと認める。　
　
「ＣＤチェンジャプレーヤと管理装置とからなり、
　ＣＤチェンジャプレーヤは、ディスク収納場所を示す１〜Ｎまでのディスクナンバ（ＤＮＯ）別に、Ｎ枚のＣＤ３1 〜ＣＤN を収納する収納部を備え、　
　管理装置は、キーボードまたはマウス操作で再生対象のディスクナンバｎが入力されると、ＣＤチェンジャプレーヤへディスクナンバｎの再生指令を出力し、ＣＤ３i の再生を行わせ、　
　ＣＤ３n のリードイン領域から管理情報を読み取り、リードイン管理情報記憶領域に記憶し、ユーザにディスク案内情報データベースに対する検索を行うか否か問い合わせ、　
　若し、ユーザがディスク案内情報データベースに対する検索を希望するとき、管理情報中のＴＯＣ情報に所定の演算を施し、検索キーデータを作成し、　
　ディスク案内情報データベースサーバと接続を試み、ディスク案内情報データベースサーバがダウンしていてエラーメッセージが来たときは「Ｗｅｂ検索に失敗しました」というエラーメッセージを表示し、　
　ディスク案内情報データベースが正常稼動中で正常接続メッセージが来たとき、先に作成した検索キーデータをディスク案内情報データベースサーバ に送信して検索要求を行い、検索エラーメッセージまたは検索キーデータに対応するディスク案内情報候補のリスト情報が受信を待ち、　
　ディスク案内情報データベースから、該ディスク案内情報を受信すると、ディスプレイにディスクナンバｎと対応付けて受信したディスク案内情報を表示させ、　
　ディスク案内情報データベースから、検索エラーメッセージ（ここでは候補が無かった場合を含む）を受信すると、「Ｗｅｂ検索に失敗しました」というエラーメッセージを表示する　
　記録再生システム。」（以下「刊行物発明」という。）　
　
３．本願発明と刊行物発明との対比・判断 
（ａ）刊行物発明の「再生対象のディスクナンバｎが入力されると」、「Ｎ枚のＣＤ３1 〜ＣＤN を収納する収納部」を有する「ＣＤチェンジャプレーヤへディスクナンバｎの再生指令を出力し、ＣＤ３i の再生を行わせ」る「記録再生システム」は、本願発明の「複数のディスクを装填され、各装填ディスクを再生自在にしているディスク制御装置」に対応する。　
（ｂ）刊行物発明において「検索要求」が送信されるのは、再生を行っているディスクナンバｎに対応するディスクであるから、装填中のディスクであり、刊行物発明の「ディスク案内情報データベースサーバと接続」し、「検索キーデータをディスク案内情報データベースサーバに送信して検索要求を行い」「ディスク案内情報データベースから、該ディスク案内情報を受信する」手段は、本願発明の「所定のディスク用データベースへアクセスして装填中のディスクについてそのディスク関連情報を前記ディスク用データベースから入手する入手手段」に相当する。
（ｃ）刊行物発明において、「Ｗｅｂ検索に失敗しました」とエラー表示が行われるのは、ディスク案内情報を入手できなかった場合であり、ディスク関連情報を「未入手」の場合であるから、刊行物発明の「ディスク案内情報データベースから、該ディスク案内情報を受信すると、ディスプレイにディスクナンバｎと対応付けて受信したディスク案内情報を表示させ」、「ディスク案内情報データベースサーバと接続を試み、ディスク案内情報データベースサーバがダウンしていてエラーメッセージが来たときは「Ｗｅｂ検索に失敗しました」というエラーメッセージを表示し、」「ディスク案内情報データベースから、検索エラーメッセージ（ここでは候補が無かった場合を含む）を受信すると、「Ｗｅｂ検索に失敗しました」というエラーメッセージを表示する」制御手段は、本願発明の「前記ディスク用データベースからのディスク関連情報を入手できた装填中ディスクについてそのディスク関連情報を、また、入手できなかった装填中ディスクについて未入手であることをそれぞれ表示器に表示する表示制御手段」に相当する。
（ｄ）　刊行物発明の、Ｗｅｂサーバに「候補が無かった場合」のエラーは、本願発明の「前記入手手段によるディスク関連情報の入手が失敗した場合にその失敗が前記ディスク用データベースにおけるディスク関連情報の蓄積無しの原因（以下、「第１の原因」と言う。）」に相当し、刊行物発明の「Ｗｅｂサーバとの接続に失敗した」エラーは、Ｗｅｂサーバに「候補が無かった場合」以外のエラーであるから、本願発明の「第１の原因以外の他の原因（以下、「第２の原因」という。）」に相当する。
　また、刊行物発明は「ディスク案内情報データベースサーバと接続を試み、」「ディスク案内情報データベースサーバがダウンしていてエラーメッセージが来たときは」「Ｗｅｂ検索に失敗しました」というエラーメッセージを表示し、「ディスク案内情報データベースが正常稼動中で正常接続メッセージが来たとき、先に作成した検索キーデータをディスク案内情報データベースサーバに送信して検索要求を行い、検索エラーメッセージまたは検索キーデータに対応するディスク案内情報候補のリスト情報が受信を待ち、」「ディスク案内情報データベースから、検索エラーメッセージ（ここでは候補が無かった場合を含む）を受信すると、「Ｗｅｂ検索に失敗しました」というエラーメッセージを表示して」おり、ディスク案内情報データサーバとの接続を確認した上で、検索要求を行うものであるから、管理装置は「検索エラー（ここでは候補が無かった場合を含む）」か、「Ｗｅｂサーバとの接続に失敗した」エラーなのかを識別した上で処理を行っており、本願発明の「前記入手手段によるディスク関連情報の入手が失敗した場合にその失敗が前記ディスク用データベースにおけるディスク関連情報の蓄積無しの原因（以下、「第１の原因」と言う。）にあるか第１の原因以外の他の原因（以下、「第２の原因」と言う。）にあるかを検出する原因検出手段」に相当する機能を備えている。　
　
　したがって、本願発明と刊行物発明との［一致点］及び［相違点］は以下のとおりである。
　
 　［一致点］　
「複数のディスクを装填され、各装填ディスクを再生自在にしているディスク制御装置において、
　所定のディスク用データベースへアクセスして装填中のディスクについてそのディスク関連情報を前記ディスク用データベースから入手する入手手段、
　前記ディスク用データベースからのディスク関連情報を入手できた装填中ディスクについてそのディスク関連情報を、また、入手できなかった装填中ディスクについて未入手であることをそれぞれ表示器に表示する表示制御手段、
　前記入手手段によるディスク関連情報の入手が失敗した場合にその失敗が前記ディスク用データベースにおけるディスク関連情報の蓄積無しの原因（以下、「第１の原因」と言う。）にあるか第１の原因以外の他の原因（以下、「第２の原因」と言う。）にあるかを
検出する原因検出手段、
　を有しているディスク制御装置。」の点。
　
　[相違点］
　装填中ディスクについて前記入手手段によるディスク関連情報の入手が失敗した場合に、本願発明では「その失敗が、前記ディスク用データベースにおけるディスク関連情報の蓄積無しの原因以外にあるときのみ該装填中ディスクについて前記入手手段にディスク関連情報の入手を自動的に再実行させる再実行制御手段」を備えるのに対して、刊行物発明にはその旨の記載がない点。
　
４．当審の判断
　上記相違点について検討する。
　ネットワークにアクセスするシステムにおいて、ネットワーク障害等の間欠的な故障の際に、所定時間後に自動的にネットワークへの再接続を行うことは周知（例：特開昭６０−１３６８４６号公報、特開昭６３−１０３５４４号公報等参照）であり、刊行物発明においても、ネットワーク障害の際に、所定時間後に自動的にネットワークへの再接続を行わせる構成を採用することは当業者が容易に想到し得ることである。また、上記周知技術は、間欠的な故障の場合にリトライを行うものであるから、上記周知技術を適用する際に、エラーの原因が間欠的な要因でない場合、つまり「ディスク案内情報データベースサーバ」に「検索キーデータ」に対応する「ディスク案内情報」が蓄積されていないことによる恒久的なエラーの場合には、リトライをする必要性がないことは明らかである。　
　したがって、刊行物発明に、ネットワーク障害等の間欠的な故障の際にリトライを行う上記周知技術を採用して、「ディスク案内情報データベースサーバ」に「検索キーデータ」に対応する「ディスク案内情報」が蓄積されていなかった場合を除く、間欠的な通信障害のときのみ再実行させる再実行制御手段を備える上記相違点１の構成とすることは当業者が容易に想到し得ることである。　
　
　また、本願発明の奏する作用効果は刊行物及び周知技術から当業者が十分予想可能なものであって格別のものではない。　
　　
　よって、本願発明は、その出願前に頒布された刊行物に記載された発明及び周知技術に基づいて当業者が容易に発明をすることができたものである。
　
５．むすび　
 　以上のとおりであるから、本願請求項３に係る発明は、刊行物に記載された発明及び周知技術に基づいて当業者が容易に発明をすることができたものであるから、特許法第２９条第２項の規定により特許を受けることができないものである。 
 　したがって、本願は、その余の請求項について論及するまでもなく、拒絶をすべきものである。
　
　よって結論のとおり審決する。